(57)【要約】  電動二輪車は、運転指令検出手段と、運転指令とは異なる状態値を検出可能な状態値検出手段と、駆動輪に伝達される走行動力を発生する電動モータと、前記電動モータの出力を通常モードに対して異ならせる非通常モードを実行可能であり、前記通常モード及び前記非通常モードのうち一方のモードにおいて前記状態値検出手段で検出される前記状態値に所定の移行条件が成立すると他方のモードへと移行させる制御手段と、電動二輪車がコーナリング中であるか否かを判定するコーナリング判定手段と、を備え、前記制御手段は、前記コーナリング判定手段で電動二輪車がコーナリング中であると判定され且つ前記移行条件が成立したときには、前記コーナリング判定手段で電動二輪車がコーナリング中ではないと判定され且つ前記移行条件が成立したときよりも、前記電動モータの出力変化を抑制する。
2012157013.tif 000002
【特許請求の範囲】
【請求項１】
運転者からの運転指令を検出する運転指令検出手段と、
前記運転指令とは異なる状態値を検出可能な状態値検出手段と、
駆動輪に伝達される走行動力を発生する電動モータと、
前記運転指令検出手段で検出された前記運転指令に応じて前記電動モータの出力を制御する通常モードと、前記電動モータの出力を前記通常モードに対して異ならせる非通常モードとを実行可能であり、前記通常モード及び前記非通常モードのうち一方のモードにおいて前記状態値検出手段で検出される前記状態値に所定の移行条件が成立すると、前記通常モード及び前記非通常モードのうち他方のモードへと移行させる制御手段と、
電動二輪車がコーナリング中であるか否かを判定するコーナリング判定手段と、を備え、
前記制御手段は、前記コーナリング判定手段で電動二輪車がコーナリング中であると判定され且つ前記移行条件が成立したときには、前記コーナリング判定手段で電動二輪車がコーナリング中ではないと判定され且つ前記移行条件が成立したときよりも、前記電動モータの出力変化を抑制する、電動二輪車。
【請求項２】
前記制御手段は、前記コーナリング判定手段で電動二輪車がコーナリング中であると判定され且つ前記移行条件が成立したときには、前記通常モード及び前記非通常モードのうち一方のモードから他方のモードへの移行を禁止する、請求項１に記載の電動二輪車。
【請求項３】
前記制御手段は、前記コーナリング判定手段で電動二輪車がコーナリング中であると判定され且つ前記移行条件が成立したときには、前記コーナリング判定手段で電動二輪車がコーナリング中ではないと判定され且つ前記移行条件が成立したときよりも、前記通常モード及び前記非通常モードのうち一方のモードから他方のモードへ移行する際における前記電動モータの出力の変化量及び時間変化率の少なくとも一方を低減する、請求項１に記載の電動二輪車。
【請求項４】
前記電動モータに電力を供給するためのバッテリと、前記電動モータと前記バッテリとの間に介設されたインバータとを備え、
前記状態値検出手段は、前記電動モータ、前記バッテリ及び前記インバータを含む駆動系電気機器のうち少なくとも１つの状態を前記状態値として検出し、
前記移行条件は、前記通常モードから前記非通常モードに移行させるための条件であって前記状態値が所定の非通常値であるとの非通常モード移行条件と、前記非通常モードから前記通常モードに移行させるための条件であって前記状態値が所定の通常値であるとの通常モード移行条件とを有し、
前記制御手段は、前記非通常モードにおける前記電動モータの出力を、前記通常モードにおける前記電動モータの出力よりも減少させる、請求項１乃至３のいずれかに記載の電動二輪車。
【請求項５】
前記電動モータに電力を供給するためのバッテリと、前記バッテリと前記電動モータとの間に介設されたインバータと、を備え、
前記状態値検出手段は、前記バッテリ、前記インバータ及び前記電動モータのうち少なくとも１つの温度を前記状態値として検出する温度センサ、前記バッテリの放電能力を前記状態値として検出するバッテリセンサ、前記電動モータの回転数を前記状態値として検出する回転数センサ、走行速度を前記状態値として検出する車速センサ、及び、前記電動モータの制御のための入力情報を検出するセンサの異常を前記状態値として検知する異常検知手段のうち少なくとも１つを含み、
前記移行条件は、前記温度センサで検出される温度が所定の許容値を超えているとの条件、前記バッテリセンサで検出される放電能力が所定の許容値を下回っているとの条件、前記回転数センサで検出される回転数が所定の上限回転数以上であるとの条件、前記車速センサで検出される車速が所定の上限速度以上であるとの条件、及び、前記異常検知手段で異常が検知されたとの条件のうち少なくとも１つである出力制限モード移行条件を有し、
前記非通常モードは、前記通常モードよりも前記電動モータの出力を減少させる出力制限モードを有し、
前記制御手段は、前記通常モードにおいて前記出力制限モード移行条件が成立すると、前記出力制限モードに移行させる、請求項１乃至３のいずれかに記載の電動二輪車。
【請求項６】
前記制御手段は、前記コーナリング判定手段で電動二輪車がコーナリング中であると判定され且つ前記移行条件が成立することで前記電動モータの出力変化を抑制された状態から、前記移行条件が成立したまま前記コーナリング判定手段によりコーナリングが終了したことが判定されると、前記電動モータの出力の目標値をモード移行後の目標値に徐々に近づけるように制御する、請求項１乃至５のいずれかに記載の電動二輪車。
【請求項７】
前記移行条件は、所定の出力急増モード移行条件を有し、
前記非通常モードは、前記運転指令検出手段で検出されたアクセル操作量の増加率が所定の閾値以上であるときに、前記通常モードよりも前記電動モータの出力を一時的に増加させる出力急増モードを有し、
前記制御手段は、前記通常モードにおいて前記出力急増モード移行条件が成立すると、前記出力急増モードに移行させる、請求項１乃至６のいずれかに記載の電動二輪車。
【請求項８】
走行状態がコーナリングの終盤であるか否かを判定するコーナリング状態判定手段を備え、
前記制御手段は、前記コーナリング状態判定手段により走行状態がコーナリングの終盤であると判定された場合には、前記コーナリング判定手段で電動二輪車がコーナリング中であると判定され且つ前記出力急増モード移行条件が成立しても、前記電動モータの出力変化の抑制を実施しない、請求項７に記載の電動二輪車。
【請求項９】
運転者に通知するための通知手段を備え、
前記制御手段は、前記コーナリング判定手段で電動二輪車がコーナリング中であると判定されかつ前記移行条件が成立したときには、前記電動モータの出力変化を抑制している旨を前記通知手段により運転者に通知させる、請求項１乃至８のいずれかに記載の電動二輪車。
【請求項１０】
前記制御手段は、コーナリング中の車両運転状態に応じて前記電動モータの出力変化の抑制の程度を変化させる、請求項１乃至９のいずれかに記載の電動二輪車。
【請求項１１】
運転者からの運転指令を受信する運転指令受信部と、
前記運転指令とは異なる状態値を受信可能な状態値受信部と、
前記運転指令に応じて走行駆動源の出力を制御する通常モード実行部と、
前記走行駆動源の出力を前記通常モードに対して異ならせる非通常モード実行部と、
前記通常モード及び前記非通常モードのうち一方のモードにおいて前記状態値受信部で受信される前記状態値に所定の移行条件が成立すると、前記通常モード及び前記非通常モードのうち他方のモードへと移行させるモード移行制御部と、
乗物がコーナリング中であるか否かを判定するコーナリング判定部と、を備え、
前記モード移行制御部は、前記コーナリング判定部で乗物がコーナリング中であると判定され且つ前記移行条件が成立したときには、前記コーナリング判定部で乗物がコーナリング中ではないと判定され且つ前記移行条件が成立したときよりも、前記走行駆動源の出力変化を抑制する、乗物制御装置。
【請求項１２】
運転者からの運転指令を受信する運転指令受信工程と、
前記運転指令とは異なる状態値を受信可能な状態値受信工程と、
前記運転指令に応じて走行駆動源の出力を制御する通常モード実行工程と、
前記走行駆動源の出力を前記通常モードに対して異ならせる非通常モード実行工程と、
前記通常モード及び前記非通常モードのうち一方のモードにおいて前記状態値に所定の移行条件が成立すると、前記通常モード及び前記非通常モードのうち他方のモードへと移行させるモード移行制御工程と、
乗物がコーナリング中であるか否かを判定するコーナリング判定工程と、を備え、
前記モード移行制御工程では、前記コーナリング判定部で乗物がコーナリング中であると判定され且つ前記移行条件が成立したときには、前記コーナリング判定部で乗物がコーナリング中ではないと判定され且つ前記移行条件が成立したときよりも、前記走行駆動源の出力変化を抑制する、乗物制御方法。
【発明の詳細な説明】
【技術分野】
【０００１】
本発明は、状態値に応じて運転モードが移行する電動二輪車、乗物制御装置及び乗物制御方法に関する。
【背景技術】
【０００２】
バッテリの電力によりモータを駆動して走行動力を発生させる電気自動車においては、運転指令とは別の情報に基づいてモータ出力を変化させる場合がある。例えば、モータ温度及びインバータ温度が高くなり過ぎるのを防ぐために、それらの温度が許容範囲を超えたときにモータ出力を一時的に制限する出力制限モードに移行する技術や、バッテリを保護するために、バッテリ温度が許容範囲を超えたとき又はバッテリの電圧等が許容範囲を下回ったときに、バッテリ出力を一時的に制限してモータ出力を制限する出力制限モードに移行する技術などが存在している（例えば、特許文献１参照）。そして、その出力制限モードへの移行後には、モータ温度、インバータ温度、バッテリ温度、バッテリ電圧などの状態値が許容範囲内に回復すれば、出力制限モードから通常モードに戻るように制御される。
【先行技術文献】
【特許文献】
【０００３】
【特許文献１】特開平９−１９１５８２号公報
【発明の概要】
【発明が解決しようとする課題】
【０００４】
しかしながら、コーナリング中に前記状態値が所定範囲外となることで通常モードから別の出力モードに自動的に移行すると、運転者がナーバスになるコーナリング中において走行動力が変動することなるため、運転フィーリングを悪化させることになる。特に、二輪車の場合には、コーナリングの際に車体をバンクさせるため、運転フィーリングへの影響は大きくなる。【０００５】
そこで本発明は、運転指令以外の状態値に応じて運転モードが移行する乗物において、コーナリング中の運転フィーリングを向上させることを目的としている。
【課題を解決するための手段】
【０００６】
本発明は前記事情に鑑みてなされたものであり、本発明に係る電動二輪車は、運転者からの運転指令を検出する運転指令検出手段と、前記運転指令とは異なる状態値を検出可能な状態値検出手段と、駆動輪に伝達される走行動力を発生する電動モータと、前記運転指令検出手段で検出された前記運転指令に応じて前記電動モータの出力を制御する通常モードと、前記電動モータの出力を前記通常モードに対して異ならせる非通常モードとを実行可能であり、前記通常モード及び前記非通常モードのうち一方のモードにおいて前記状態値検出手段で検出される前記状態値に所定の移行条件が成立すると、前記通常モード及び前記非通常モードのうち他方のモードへと移行させる制御手段と、電動二輪車がコーナリング中であるか否かを判定するコーナリング判定手段と、を備え、前記制御手段は、前記コーナリング判定手段で電動二輪車がコーナリング中であると判定され且つ前記移行条件が成立したときには、前記コーナリング判定手段で電動二輪車がコーナリング中ではないと判定され且つ前記移行条件が成立したときよりも、前記電動モータの出力変化を抑制する。【０００７】
前記構成によれば、コーナリング中であると判定され且つ移行条件が成立したときには、電動モータは出力変化を抑制するように制御されるので、コーナリング中に走行動力が大きく変動することが抑制される。よって、運転指令以外の状態値に応じて運転モードが移行する電動二輪車において、コーナリング中の運転フィーリングを向上することが可能となる。なお、「出力変化を抑制」とは、モード移行を禁止することでモード移行に伴う出力変化を防止することと、非コーナリング時よりもモード移行に伴う出力変化を少なく保ちながらモード移行することとを含む意味である。【０００８】
前記制御手段は、前記コーナリング判定手段で電動二輪車がコーナリング中であると判定され且つ前記移行条件が成立したときには、前記通常モード及び前記非通常モードのうち一方のモードから他方のモードへの移行を禁止してもよい。【０００９】
前記構成によれば、コーナリング中であると判定され且つ移行条件が成立したときには、モード移行が禁止されるので、モード移行に伴う電動モータの出力変動を防止することができる。よって、コーナリング中の運転フィーリングを簡単かつ確実に向上させることが可能となる。【００１０】
前記制御手段は、前記コーナリング判定手段で電動二輪車がコーナリング中であると判定され且つ前記移行条件が成立したときには、前記コーナリング判定手段で電動二輪車がコーナリング中ではないと判定され且つ前記移行条件が成立したときよりも、前記通常モード及び前記非通常モードのうち一方のモードから他方のモードへ移行する際における前記電動モータの出力の変化量及び時間変化率の少なくとも一方を低減してもよい。【００１１】
前記構成によれば、コーナリング中であると判定され且つ移行条件が成立したときには、モード移行する際における電動モータの出力の変化量及び変化率の少なくとも一方が低減されるので、モード移行を実施しながらもモード移行に伴う電動モータの出力変動を抑制することができる。よって、モード移行による制御効果とコーナリング中の運転フィーリングの向上とを好適に両立することが可能となる。【００１２】
前記電動モータに電力を供給するためのバッテリと、前記電動モータと前記バッテリとの間に介設されたインバータとを備え、前記状態値検出手段は、前記電動モータ、前記バッテリ及び前記インバータを含む駆動系電気機器のうち少なくとも１つの状態を前記状態値として検出し、前記移行条件は、前記通常モードから前記非通常モードに移行させるための条件であって前記状態値が所定の非通常値であるとの非通常モード移行条件と、前記非通常モードから前記通常モードに移行させるための条件であって前記状態値が所定の通常値であるとの通常モード移行条件とを有し、前記制御手段は、前記非通常モードにおける前記電動モータの出力を、前記通常モードにおける前記電動モータの出力よりも減少させてもよい。【００１３】
前記構成によれば、通常モードにおいて駆動系電気機器の状態が非通常状態となったときに、非通常モードに移行して電動モータの出力を減少させるので、駆動系電気機器を保護することができる。【００１４】
前記電動モータに電力を供給するためのバッテリと、前記バッテリと前記電動モータとの間に介設されたインバータと、を備え、前記状態値検出手段は、前記バッテリ、前記インバータ及び前記電動モータのうち少なくとも１つの温度を前記状態値として検出する温度センサ、前記バッテリの放電能力を前記状態値として検出するバッテリセンサ、前記電動モータの回転数を前記状態値として検出する回転数センサ、走行速度を前記状態値として検出する車速センサ、及び、前記電動モータの制御のための入力情報を検出するセンサの異常を前記状態値として検知する異常検知手段のうち少なくとも１つを含み、前記移行条件は、前記温度センサで検出される温度が所定の許容値を超えているとの条件、前記バッテリセンサで検出される放電能力が所定の許容値を下回っているとの条件、前記回転数センサで検出される回転数が所定の上限回転数以上であるとの条件、前記車速センサで検出される走行速度が所定の上限速度以上であるとの条件、及び、前記異常検知手段で異常が検知されたとの条件のうち少なくとも１つである出力制限モード移行条件を有し、前記非通常モードは、前記通常モードよりも前記電動モータの出力を減少させる出力制限モードを有し、前記制御手段は、前記通常モードにおいて前記出力制限モード移行条件が成立すると、前記出力制限モードに移行させてもよい。【００１５】
前記構成によれば、出力制限モードでは電動モータの出力を減少させるので、例えば、電動モータ、バッテリ及び／又はインバータを保護したり、バッテリ放電能力低下時やセンサ異常時に走行速度を落としたり、回転数や車速にリミッタを掛けたりすることができる。【００１６】
前記制御手段は、前記コーナリング判定手段で電動二輪車がコーナリング中であると判定され且つ前記移行条件が成立することで前記電動モータの出力変化を抑制された状態から、前記移行条件が成立したまま前記コーナリング判定手段によりコーナリングが終了したことが判定されると、前記電動モータの出力の目標値をモード移行後の目標値に徐々に近づけるように制御してもよい。【００１７】
前記構成によれば、コーナリング中に出力変化を抑制していた状態からコーナリングが終了すると、モータ出力の目標値をモード移行後の目標値に徐々に近づけるので、運転フィーリングを良好に保ちながらモード移行を完了させることができる。【００１８】
前記移行条件は、所定の出力急増モード移行条件を有し、前記非通常モードは、前記運転指令検出手段で検出されたアクセル操作量の増加率が所定の閾値以上であるときに、前記通常モードよりも前記電動モータの出力を一時的に増加させる出力急増モードを有し、前記制御手段は、前記通常モードにおいて前記出力急増モード移行条件が成立すると、前記出力急増モードに移行させてもよい。【００１９】
前記構成によれば、出力急増モードでアクセル操作量が急増したときには、通常モードでアクセル操作量が急増したときよりもモータ出力を一時的に増加させるので、瞬間的に通常よりも大きな加速を発生させ、運転者の体感する加速レスポンスを向上させることができる。【００２０】
走行状態がコーナリングの終盤であるか否かを判定するコーナリング状態判定手段を備え、前記制御手段は、前記コーナリング状態判定手段により走行状態がコーナリングの終盤であると判定された場合には、前記コーナリング判定手段で電動二輪車がコーナリング中であると判定され且つ前記出力急増モード移行条件が成立しても、前記電動モータの出力変化の抑制を実施しなくてもよい。【００２１】
前記構成によれば、コーナリングの終盤のときには、電動モータの出力増加は抑制されずに大きな加速が許容されるので、コーナリング出口でのスムーズな加速走行を実現することができる。【００２２】
運転者に通知するための通知手段を備え、前記制御手段は、前記コーナリング判定手段で電動二輪車がコーナリング中であると判定されかつ前記移行条件が成立したときには、前記電動モータの出力変化を抑制している旨を前記通知手段により運転者に通知させてもよい。【００２３】
前記構成によれば、電動モータの出力変化を抑制している旨が運転者に通知されるので、運転者は車両の制御状態を把握することができる。【００２４】
前記制御手段は、コーナリング中の車両運転状態に応じて前記電動モータの出力変化の抑制の程度を変化させてもよい。【００２５】
前記構成によれば、コーナリング中の車両運転状態に応じて電動モータの出力変化の抑制の程度を変えるよう調整するので、モード移行による制御効果とコーナリング中の運転フィーリングの向上とを好適に両立することが可能となる。【００２６】
また本発明に係る乗物制御装置は、運転者からの運転指令を受信する運転指令受信部と、前記運転指令とは異なる状態値を受信可能な状態値受信部と、前記運転指令に応じて走行駆動源の出力を制御する通常モード実行部と、前記走行駆動源の出力を前記通常モードに対して異ならせる非通常モード実行部と、前記通常モード及び前記非通常モードのうち一方のモードにおいて前記状態値受信部で受信される前記状態値に所定の移行条件が成立すると、前記通常モード及び前記非通常モードのうち他方のモードへと移行させるモード移行制御部と、乗物がコーナリング中であるか否かを判定するコーナリング判定部と、を備え、前記モード移行制御部は、前記コーナリング判定部で乗物がコーナリング中であると判定され且つ前記移行条件が成立したときには、前記コーナリング判定部で乗物がコーナリング中ではないと判定され且つ前記移行条件が成立したときよりも、前記走行駆動源の出力変化を抑制する。【００２７】
また本発明に係る乗物制御方法は、運転者からの運転指令を受信する運転指令受信工程と、前記運転指令とは異なる状態値を受信可能な状態値受信工程と、前記運転指令に応じて走行駆動源の出力を制御する通常モード実行工程と、前記走行駆動源の出力を前記通常モードに対して異ならせる非通常モード実行工程と、前記通常モード及び前記非通常モードのうち一方のモードにおいて前記状態値に所定の移行条件が成立すると、前記通常モード及び前記非通常モードのうち他方のモードへと移行させるモード移行制御工程と、乗物がコーナリング中であるか否かを判定するコーナリング判定工程と、を備え、前記モード移行制御工程では、前記コーナリング判定部で乗物がコーナリング中であると判定され且つ前記移行条件が成立したときには、前記コーナリング判定部で乗物がコーナリング中ではないと判定され且つ前記移行条件が成立したときよりも、前記走行駆動源の出力変化を抑制する。
【発明の効果】
【００２８】
以上の説明から明らかなように、本発明によれば、運転指令以外の状態値に応じて運転モードが移行する乗物において、コーナリング中の運転フィーリングを向上することが可能となる。
【図面の簡単な説明】
【００２９】
【図１】本発明の実施形態に係る電動二輪車の右側面図である。
【図２】図１に示す電動二輪車の制御系統を説明するブロック図である。
【図３】図２に示す電動二輪車の制御を説明するフローチャートである。
【図４】図３に示す出力制限モードを説明するフローチャートである。
【図５】図３に示す制御における出力制限モード移行に関するグラフである。
【図６】図３に示す制御における出力制限モード移行に関する別のグラフである。
【図７】図３に示す回生モードを説明するフローチャートである。
【図８】図３に示す制御における回生モード移行に関するグラフである。
【図９】図３に示す制御における回生モード移行に関する別のグラフである。
【図１０】図３に示す出力急増モードを説明するフローチャートである。
【図１１】図３に示す制御における出力急増モード移行に関するグラフである。
【図１２】出力制限モード移行に関する第１変形例の図８相当のグラフである。
【図１３】出力制限モード移行に関する第２変形例の図８相当のグラフである。
【発明を実施するための形態】
【００３０】
以下、本発明に係る実施形態を図面を参照して説明する。
【００３１】
図１は、本発明の実施形態に係る電動二輪車１（乗物）の右側面図である。図１に示すように、電動二輪車１は、従動輪である前輪２と駆動輪である後輪３とを備えている。前輪２は、各々略上下方向に延びる左右一対のフロントフォーク４の下端部に回転自在に支持されており、フロントフォーク４の上部は上下一対のブラケット４ａ，４ｂを介してステアリング軸（図示せず）に支持されている。そのステアリング軸は車体側のヘッドパイプ５に内挿された状態で回転自在に支持されており、上側のブラケット４ｂには左右へ延びるバー型のハンドル６が取り付けられており、運転者がハンドル６を左右に回動させることで前輪２を操舵することができる。ハンドル６の右側には運転者の右手により把持されて、手首のひねりによって回転されるようにアクセルグリップ７が設けられ、そのアクセルグリップ７の前側にはブレーキレバー８が設けられている。また、ハンドル６の左側には、運転者の左手により把持される固定グリップ（図示せず）が設けられ、その固定グリップの前側にはクラッチレバー（図示せず）が設けられている。
【００３２】
電動二輪車１の車体フレームは、ヘッドパイプ５から左右に分かれて後方に向かい若干下方に傾斜しながら側面視で略直線状に延びる一対のメインフレーム９を備えている。メインフレーム９の前端部には、そこから下方に延びる左右一対のダウンフレーム１０が接続されている。メインフレーム９の後端部には、枠状のピボットフレーム１１の上部が設けられている。ピボットフレーム１１には、パワープラント１２のケース１３の後部が締結されており、このケース１３の前部はダウンフレーム１０の下端部に締結されている。ピボットフレーム１１には、後輪３を支持するスイングアーム１４の前端部が上下に揺動可能に支持されている。スイングアーム１４の中間部とメインフレーム９の後端部との間にはリヤサスペンション１５が介設されている。なお、図１において仮想線で示すようにスイングアーム１４の上方には騎乗用のシート１６が配設され、このシート１６はメインフレーム９に接続された図示しないリヤフレームによって支持されている。また、シート１６の前方にはダミータンク１７が設けられ、運転者が両膝で挟めるようになっている。
【００３３】
パワープラント１２のケース１３には、走行動力を発生する電動モータ１８と、電動モータ１８からの回転動力を変速して後輪３に伝達するためのトランスミッション１９と、電動モータ１８とトランスミッション１９との間の動力伝達を接続又は遮断するクラッチ２０とが収容されている。パワープラント１２のケース１３の前側上方には、電動モータ１８に給電するためのバッテリ２１が配設されている。パワープラント１２のケース１３の後側上方には、バッテリ２１の直流電力を交流電力に変換して電動モータ１８に供給する又は電動モータ１８を発電機として発電した交流電力（回生電力）を直流電力に変換してバッテリ２１に充電するインバータ２２が配設されている。左右一対のメインフレーム９の間には、後で詳述するＥＣＵ２３（乗物制御装置）が配設されている。なお、本実施形態では、電動モータ１８、バッテリ２１及びインバータ２２を駆動系電気機器と称する。
【００３４】
図２は、図１に示す電動二輪車１の制御系統を説明するブロック図である。図２に示すように、ＥＣＵ２３には、各種のセンサ３０〜４１が入力として接続されている。モータ温度センサ３０、インバータ温度センサ３１及びバッテリ温度センサ３２は、それぞれ電動モータ１８、インバータ２２及びバッテリ２１の温度を検出するものである。バッテリ電圧センサ３３は、バッテリ２１の出力電圧を検出するものであり、バッテリ残量センサ３４は、バッテリ２１の残量を検出するものである。即ち、バッテリ電圧センサ３３及びバッテリ残量センサ３４によりバッテリ２１の放電能力が検出される。回転数センサ３５は、電動モータ１８の回転数を検出するものである。車速センサ３６は、電動二輪車１の走行速度を検出するものであり、例えば、従動輪である前輪２の回転数を検出する前輪速センサなどが用いられる。アクセル操作量センサ３７は、アクセルグリップ７の操作量（開度）を検出するものである。ブレーキセンサ３８は、ブレーキレバー８の操作量（制動量）を検出するものである。クラッチスイッチ３９は、クラッチ２０が接続状態にあるか遮断状態にあるかを検出するものである。ギヤ位置センサ４０は、トランスミッション１９の変速ギヤの位置（減速比）を検出するものである。バンク角センサ４１は、電動二輪車１の車体を直立状態から横方向へ傾斜させたときの車体傾斜角を検出するものである。
【００３５】
ＥＣＵ２３は、センサ異常検知部４５、状態値受信部４６、移行条件判定部４７、運転指令受信部４８、コーナリング判定部４９、モード移行制御部５０、通常モード実行部５１、出力制限モード実行部５２、回生モード実行部５３、及び、出力急増モード実行部５４を備えている。センサ異常検知部４５は、電動モータ１８の制御のための入力情報を検出する各種のセンサ３０〜４１の異常を検知するものである。例えば、各センサ３０〜４１を一対ずつ設け、センサ異常検知部４５は、それら一対のセンサ３０〜４１からそれぞれ検出される値が互いに同じであるとセンサが正常であると検知し、互いに異なるとセンサが異常であると検知する。
【００３６】
状態値受信部４６は、モータ温度センサ３０、インバータ温度センサ３１、バッテリ温度センサ３２、バッテリ電圧センサ３３、バッテリ残量センサ３４、回転数センサ３５、車速センサ３６及びセンサ異常検知部４５等からの信号を受信するものであって、運転指令ではない状態値を受信するものである。即ち、本実施形態では、モータ温度センサ３０、インバータ温度センサ３１、バッテリ温度センサ３２、バッテリ電圧センサ３３、バッテリ残量センサ３４、回転数センサ３５、車速センサ３６及びセンサ異常検知部４５が状態値検出手段を構成する。ここで、状態値とは、運転者からの運転指令が無くとも変化する車載機器の状態に関する値を意味し、また、運転指令とは、アクセル操作量やブレーキ操作量やクラッチ操作状態や変速ギヤ位置等のように運転者が電動二輪車１の走行状態を変えるための指令を意味する。
【００３７】
移行条件判定部４７は、後述するように、通常モードと、通常モードとは異なる駆動力を出力する非通常モード（出力制限モード、回生モード、出力急増モード）との間でモード移行を行わせる所定の移行条件を状態値受信部４６で受信される状態値が満たすか否かを判定するものである。運転指令受信部４８は、アクセル操作量センサ３７、ブレーキセンサ３８、クラッチスイッチ３９及びギヤ位置センサ４０等からの信号を受信するものであって、運転者からの運転指令を受信するものである。即ち、本実施形態では、アクセル操作量センサ３７、ブレーキセンサ３８、クラッチスイッチ３９及びギヤ位置センサ４０の少なくとも１つが運転指令検出手段を構成する。コーナリング判定部４９は、電動二輪車１がコーナリング中であるか否かを判定するものである。例えば、コーナリング判定部４９は、バンク角センサ４１で検出された車体の直立状態からの傾斜角が所定角以上であるときに、電動二輪車１がコーナリング中であると判定する。
【００３８】
モード移行制御部５０は、移行条件判定部４７での判定結果及びコーナリング判定部４９での判定結果に基づいて各運転モード（通常モード、出力制限モード、回生モード、出力急増モード）の間でのモード移行を制御する。また、電動二輪車１は、ランプの点灯等による表示やスピーカによる音などにより運転者に情報を通知する通知装置５５を備えており、モード移行制御部５０は、後述するように移行条件の成立中にもかかわらずモード移行を禁止しているときには、その旨を通知装置５５により運転者に通知させる。また、モード移行制御部５０は、回転数センサ３５、車速センサ３６及びギヤ位置センサ４０からの信号に応じてモード移行中のモータ出力の制御を変えることもできる。
【００３９】
通常モード実行部５１は、運転指令受信部４８で受信された運転指令に応じて電動モータ１８の出力（具体的には、トルク）を制御する通常モードを実行するものである。出力制限モード実行部５２は、電動モータ１８、インバータ２２及びバッテリ２１の保護等のために電動モータ１８の出力を通常モードよりも制限する出力制限モードを実行するものである。回生モード実行部５３は、電動モータ１８を発電機として用いて回生電力を生成させる回生モードを実行するものである。出力急増モード実行部５４は、アクセル操作量センサ３７で検出されるアクセル操作量の増加率が所定値以上である急加速指令時に、アクセル操作量に対応するモータ出力を通常モードに比べて一時的に増量補正させる出力急増モードを実行するものである。
【００４０】
図３は、図２に示す電動二輪車１の制御を説明するフローチャートである。図４は、図３に示す出力制限モードを説明するフローチャートである。図５は、図３に示す制御における出力制限モード移行に関するグラフである。図６は、図３に示す制御における出力制限モード移行に関する別のグラフである。図３及び５に示すように、まず、電動二輪車１の電源が投入されると、モード移行制御部５０は、運転モードを通常モードに設定する（ステップＳ１）。この通常モードでは、運転指令受信部４８で受信された運転指令に応じて電動モータ１８の出力を制御し、アクセル操作量の増減に応じて電動モータ１８の出力を増減させる。
【００４１】
次いで、移行条件判定部４７は、出力制限モード移行条件が成立しているか否かを判定する（ステップＳ２）。出力制限モード移行条件は、電動モータ１８、バッテリ２１及びインバータ２２を含む駆動系電気機器の状態が通常状態とは異なる所定の非通常状態となった、即ち、状態値受信部４６で受信された状態値が所定の非通常値となったとの条件を有する。より具体的には、出力制限モード移行条件は、温度センサ３０〜３２で検出される電動モータ１８、バッテリ２１又はインバータ２２の温度が所定の許容値を超えているとの条件、バッテリ電圧センサ３３で検出される電圧が所定の許容値を下回っているとの条件、バッテリ残量センサ３４で検出されるバッテリ残量が所定の許容値を下回っているとの条件、回転数センサ３５で検出される回転数が所定の上限回転数以上であるとの条件、車速センサ３６で検出される車速が所定の上限速度以上であるとの条件、及び／又は、センサ異常検知部４５で異常が検知されたとの条件を有する。
【００４２】
ステップＳ２において、出力制限モード移行条件が成立していないと判定されるとステップＳ８に進む。ステップＳ２において、出力制限モード移行条件が成立したと判定されると、モード移行制御部５０は、コーナリング判定部４９により電動二輪車１がコーナリング中であると判定されているか否かを判断する（ステップＳ３）。そして、コーナリング中でないと判定されると（ステップＳ３：Ｎ）、モータ出力の目標値を出力制限モードのものに徐々に近づけるようにして出力制限モードへと自動的に移行する（ステップＳ４）。
【００４３】
一方、出力制限モード移行条件が成立していても（ステップＳ２：Ｙ）、コーナリング中であると判定されると（ステップＳ３：Ｙ）、出力制限モードへの移行を禁止する（ステップＳ５）。即ち、図５に示すように、通常モードにおけるモータ出力の目標値が一定であると仮定した場合、出力制限モード移行条件が成立したとき、コーナリング中でなければ、非通常モードである出力制限モードに移行する（図５の二点鎖線II）。一方、出力制限モード移行条件が成立していても、コーナリング中であれば、モータ出力の目標値を通常モードのものから出力制限モードのものに減少させることなく、コーナリングが終了するまで通常モードのまま維持する（図５の実線I）。これにより、コーナリング中にモード移行に伴う電動モータ１８の出力変化が発生することが防止される。よって、運転指令以外の状態値に応じて通常モードから出力制限モードに移行する電動二輪車１において、コーナリング中の運転フィーリングを向上させることが可能となる。また、それと同時に、モード移行制御部５０は、モード移行を禁止している際には、その旨を通知装置５５により運転者に通知させ（ステップＳ６）、ステップＳ２に戻る。これにより、電動モータ１８の出力変化を抑制している旨が運転者に通知されるので、運転者は電動二輪車１の制御状態を把握することができる。
【００４４】
次いで、出力制限モード移行条件の成立中に（ステップＳ２：Ｙ）、コーナリングが終了したと判定されると（ステップＳ３：Ｎ）、モータ出力の目標値を出力制限モードのものに徐々に近づけるようにして出力制限モードへと自動的に移行する（ステップＳ４）。このように、モード移行時にモータ出力の目標値をモード移行後の目標値に徐々に近づけることで、運転フィーリングを良好に保ちながらモード移行が完了できることとなる。
【００４５】
図４に示すように出力制限モードに移行すると、通常モードに比べてモータ出力の目標値が低くなるように制限される（ステップＳ２１）。このように電動モータ１８の出力が減少することで、例えば、電動モータ１８、バッテリ２１及び／又はインバータ２２を保護したり、バッテリ２１の放電能力低下時やセンサ異常時に走行速度を落としたり、回転数にリミッタを掛けたりすることができる。そして、出力制限モード移行条件が成立しているか否かを判定し（ステップＳ２２）、まだ成立していればステップ２１に戻る。ステップＳ２１において、出力制限モード移行条件が成立していないと判定されると、モード移行制御部５０は、コーナリング判定部４９により電動二輪車１がコーナリング中であると判定されているか否かを判断する（ステップＳ２３）。そして、ステップＳ２３において、コーナリング中であると判定されると、通常モードへの復帰（移行）を禁止する（ステップＳ２４）。また、それと同時に、モード移行制御部５０は、通常モードへの復帰を禁止している際には、その旨を通知装置５５により運転者に通知させ（ステップ２５）、ステップＳ２２に戻る。次いで、出力制限モード移行条件の成立していない状態で（ステップＳ２２：Ｎ）、コーナリングが終了したと判定されると（ステップＳ２３：Ｎ）、出力制限を解除し（ステップS２６）、モータ出力の目標値を通常モードのものに徐々に近づけるようにして通常モードへ移行する（ステップＳ１）。
【００４６】
また、図６に示すように、コーナリング中であると判定される前から出力制限モードにある場合には、出力制限モード移行条件が非成立となったとき、コーナリング中でなければ、出力制限を解除して通常モードに移行する（図６の二点鎖線II）。一方、出力制限モード移行条件が非成立となっても、コーナリング中であれば、モータ出力の目標値を出力制限モードのものから通常モードのものに増加させることなく、コーナリングが終了するまで出力制限モードのまま維持する（図６の実線I）。よって、運転指令以外の状態値に応じて出力制限モードから通常モードに移行する電動二輪車１において、コーナリング中の運転フィーリングを向上させることが可能となる。そして、出力制限モード移行条件が非成立となった状態で（ステップＳ２２：Ｙ）、コーナリングが終了したと判定されると（ステップＳ２３：Ｎ）、モータ出力の目標値を通常モードのものに徐々に近づけるようにして出力制限を解除し（ステップS２６）、通常モードへと自動的に移行する（ステップＳ１）。
【００４７】
図７は、図３に示す回生モードを説明するフローチャートである。図８は、図３に示す制御における回生モード移行に関するグラフである。図９は、図３に示す制御における回生モード移行に関する別のグラフである。図３及び７に示すように、移行条件判定部４７は、ステップＳ７において、回生モード移行条件が成立しているか否かを判定する。回生モード移行条件は、回生動作を実行可能な可能条件と、回生動作の開始を示す開始条件との両方が成立することを条件として設定される。可能条件は、回生動作に関係する電気機器の電気的条件であって、例えばバッテリが充電可能な所定の状態を満足するとの条件である。具体的には、バッテリ温度センサ３２で検出されるバッテリ２１の温度が所定の許容範囲内であるとの条件、バッテリ電圧センサ３３で検出される電圧が所定値以下であるとの条件、及び／又は、バッテリ残量センサ３４で検出されるバッテリ残量が所定値以下であるとの条件を有する。開始条件は、例えば路面に対する摩擦で回転される車輪がモータ出力軸へ動力を与える状態を満足するとの条件である。具体的には、クラッチスイッチ３９によりクラッチ２０が接続状態であることが検出され、かつ、回転数センサ３５、車速センサ３６、アクセル操作量センサ３７及びブレーキセンサ３８のうち少なくとも１つからの情報により車両が減速状態にあると判定されたとの条件や、運転者からのモータによるトルク発生の停止指令条件（回生開始指令）などの条件を有する。
【００４８】
ステップＳ７において、回生モード移行条件が成立していないと判定されるとステップＳ１２に進む。ステップＳ７において、回生モード移行条件が成立したと判定されると、モード移行制御部５０は、コーナリング判定部４９により電動二輪車１がコーナリング中であると判定されているか否かを判断する（ステップＳ８）。そして、ステップＳ８において、コーナリング中であると判定されると、回生モードへの移行を禁止する（ステップＳ１０）。これにより、回生モード移行条件が成立しても電動モータ１８は発電状態とならずに駆動状態が維持される。よって、コーナリング中に回生モードに移行することにより、電動モータ１８に発電による負トルクが発生して出力変動が大きくなることが防止される。また、それと同時に、モード移行制御部５０は、モード移行を禁止している際には、その旨を通知装置５５により運転者に通知させ（ステップＳ１１）、ステップＳ７に戻る。
【００４９】
次いで、回生モード移行条件の成立中に（ステップＳ７：Ｙ）、コーナリングが終了したと判定されると（ステップＳ８：Ｎ）、回生モードへと自動的に移行する（ステップＳ９）。図７に示すように回生モードに移行すると、電動モータ１８を駆動状態から発電状態に変え、走行慣性により後輪３から伝達される運動エネルギーを電動モータ１８で電気エネルギーに回生し、バッテリ２１に充電する（ステップＳ３１）。
【００５０】
次いで、回生モード移行条件が成立しているか否かを判定し（ステップＳ３２）、まだ成立していればステップ３１に戻る。ステップＳ３２において、回生モード移行条件が成立していないと判定されると、モード移行制御部５０は、コーナリング判定部４９により電動二輪車１がコーナリング中であると判定されているか否かを判断する（ステップＳ３３）。そして、ステップＳ３３において、コーナリング中であると判定されると、通常モードへの復帰（移行）を禁止する（ステップＳ３４）。また、それと同時に、モード移行制御部５０は、通常モードへの復帰を禁止している際には、その旨を通知装置５５により運転者に通知させ（ステップ３５）、ステップＳ３２に戻る。次いで、回生モード移行条件の成立していない状態で（ステップＳ３２：Ｎ）、コーナリングが終了したと判定されると（ステップＳ３３：Ｎ）、回生状態を解除して電動モータ１８を発電状態から駆動状態に戻し（ステップＳ３６）、通常モードへ移行する（ステップＳ１）。
【００５１】
また、図９に示すように、回生モード移行条件が成立して回生モードに移行し始めて回生トルクが増加している最中に、コーナリングを開始した旨が判定された場合には、コーナリング中のトルク変動を抑制するため、コーナリング中の回生トルクの増加を制限してもよく、例えば、コーナリング中の回生トルクを略一定としてもよい。そして、その場合に、回生モード移行条件が成立した状態でコーナリングが終了したと判定されると、目標の回生トルクに徐々に近づけるようにするとよい。
【００５２】
図１０は、図３に示す出力急増モードを説明するフローチャートである。図１１は、図３に示す制御における出力急増モード移行に関するグラフである。図３及び１０に示すように、移行条件判定部４７は、ステップＳ１４において、出力急増モード移行条件が成立しているか否かを判定する。出力急増モード移行条件は、出力急増動作を実行可能な可能条件と、出力急増動作の開始を示す開始条件との両方が成立することを条件として設定される。可能条件は、出力急増動作に関係する電気機器の電気的条件であって、例えばバッテリが充電可能な所定の状態を満足するとの条件である。具体的には、バッテリ温度センサ３２で検出されるバッテリ温度センサ３２で検出されるバッテリ２１の温度が所定の許容範囲内であるとの条件、バッテリ電圧センサ３３で検出される電圧が所定値以上であるとの条件、及び／又は、バッテリ残量センサ３４で検出されるバッテリ残量が所定値以上であるとの条件を有する。開始条件は、運転者から急増出力を望む信号を直接または間接的に取得したとの条件である。具体的には、アクセルグリップ７が急加速操作された、即ち、アクセル操作量センサ３７で検出されるアクセル操作量の増加率が所定値以上であると判定されたとの条件を有する。なお、アクセルグリップ７の急加速操作のほか、急加速スイッチ、クラッチによって非接続状態でアクセル操作されるなど特別な動作を条件としてもよい。
【００５３】
ステップＳ１２において、出力急増モード移行条件が成立していないと判定されるとステップＳ２に戻る。ステップＳ１２において、出力急増モード移行条件が成立したと判定されると、モード移行制御部５０は、コーナリング判定部４９により電動二輪車１がコーナリング中であると判定されているか否かを判断する（ステップＳ１３）。そして、ステップＳ１３において、コーナリング中であると判定されると、モード移行制御部５０は、コーナリング判定部４９により電動二輪車１がコーナリングの終盤であると判定されているか否かを判断する（ステップＳ１４）。具体的には、コーナリング判定部４９が、コーナリングの終盤であるか否か、即ち、電動二輪車１がコーナーを脱出しようとしているか否かを判定するコーナー脱出判定部を兼ねており、例えば、バンク角センサ４１により検出されるバンク角の増加率が正から負に反転したとき、及び／又は、コーナリング中にアクセル操作量が増加したときなどに、コーナリングの終盤であると判定する。
【００５４】
そして、ステップＳ１６において電動二輪車１がコーナリングの終盤であると判定されなかった場合には、出力急増モードへの移行を禁止する（ステップＳ１５）。よって、図１１に示すように、通常状態が維持される。これにより、コーナリング中に出力急増モードに移行して出力急増条件が成立し、モータ出力が増量補正されて出力変動が大きくなることが防止される。また、それと同時に、モード移行制御部５０は、モード移行を禁止している際には、その旨を通知装置５５により運転者に通知させ（ステップＳ１６）、ステップＳ１２に戻る。次いで、出力急増モード移行条件の成立中において（ステップＳ１２：Ｙ）、コーナリング中でないと判定されたときには（ステップＳ１３：Ｎ）、モード移行制御部５０は、出力急増モードへと移行させる（ステップＳ１７）。また、出力急増モード移行条件の成立中において（ステップＳ１２：Ｙ）、コーナリングの終盤であると判定されたときにも（ステップＳ１４：Ｙ）、モード移行制御部５０は、出力急増モードへと移行させる（ステップＳ１７）。これによれば、コーナリングの終盤のときには、モータ出力の増量補正は禁止されずに大きな加速が許容されるので、コーナリング出口でのスムーズな加速走行を実現することができる。
【００５５】
図１０及び１１に示すように、出力急増モードでは、通常モードにおけるアクセル操作量とモータ出力との対応関係に比べて、モータ出力を増量補正する（ステップＳ４１）。これにより、アクセル操作量が急増したときにモータ出力が通常モードよりも一時的に増加し、瞬間的に通常よりも大きな加速が生じ、運転者の体感する加速レスポンスが向上する。
【００５６】
次いで、出力急増モード移行条件が成立しているか否かを判定し（ステップＳ４２）、まだ成立していればステップ４１に戻る。ステップＳ４２において、出力急増モード移行条件が成立していないと判定されると、モード移行制御部５０は、コーナリング判定部４９により電動二輪車１がコーナリング中であると判定されているか否かを判断する（ステップＳ４３）。そして、ステップＳ４３において、コーナリング中であると判定されると、通常モードへの復帰（移行）を禁止する（ステップＳ４４）。また、それと同時に、モード移行制御部５０は、通常モードへの復帰を禁止している際には、その旨を通知装置５５により運転者に通知させ（ステップ４５）、ステップＳ４２に戻る。次いで、出力急増モード移行条件の成立していない状態で（ステップＳ４２：Ｎ）、コーナリング中でないと判定されると（ステップＳ４３：Ｎ）、モード移行制御部５０は、出力急増を終了し（ステップＳ４６）、通常モードへ移行させる（ステップＳ１）。
【００５７】
以上のように本実施形態では、コーナーリング中においては、運転指令以外の出力変化を禁止することで、コーナリング中の運転フィーリングを向上させることができる。特に、運転者が体重移動を用いて車体を傾斜させてコーナリング走行する乗物である自動二輪車においては、運転指令以外の情報によるモータの出力変化が防がれることので、コーナリング中の運転フィーリングの向上効果が大きい。具体的には、コーナリング中に電動モータ、バッテリおよびインバータのような車両走行に関係する電気機器の異常を判断したとしても、コーナリング終了するまで出力状態を維持して、コーナリング中に出力変化が生じることを防ぐことで、コーナリング中の運転フィーリングを維持することができる。さらにコーナリング終了後には電気機器の異常発生時に起因した出力制限を実行することで、出力制限時に生じる走行フィーリング変化の影響を少なくして、電気機器の保護、異常状態での出力抑制走行などを図ることができる。同様にコーナリング中に電気機器の異常状態の解消を判断したとしても、コーナリング終了するまで出力制限状態を維持して、コーナリング中に出力が増大することを防ぐことで、コーナリング中の運転フィーリングを維持することができる。
【００５８】
なお、上述したコーナリング中の出力変化制限は、運転指令以外の情報に限定されるため、コーナリング中であっても、運転者の意思に応じて車両出力を変化させることができ、操作性の低下が防がれる。また、回生動作の開始／終了および出力急増許可の開始／終了に起因する出力変化についても、コーナリング中に禁止することで、運転フィーリングの維持という同様の効果を得ることができる。なお、例外的にコーナリング終盤では、運転者の要求に基づく出力急増許可モードの実行を許可することで、運転者の望む走行操作を得ることができる。
【００５９】
図１２は、出力制限モード移行に関する第１変形例の図８相当のグラフである。図１３は、出力制限モード移行に関する第２変形例の図８相当のグラフである。前述した実施形態では、図３及び５に示したようにステップＳ５（図３）においてモード移行を禁止したが、その代わりに、図１２の実線Ａに示すように、モード移行条件が成立して且つコーナリング中であると判定されたときには、モード移行条件が成立して且つコーナリング中ではないと判定されたときに比べて、電動モータ１８の出力の時間変化率を低減するように出力変化を抑制してもよい。このようすれば、モード移行する際における電動モータ１８の出力の変化率が低減されるので、モード移行を実施しながらもモード移行に伴う電動モータ１８の出力変動を抑制することができる。さらにその代わりに、コーナリング中であると判定され且つモード移行条件が成立したときには、図１３の実線Ａに示すように電動モータ１８の出力の変化量を低減するようにしてもよい。このようすれば、モード移行する際における電動モータ１８の出力の変化量が低減されるので、モード移行を実施しながらもモード移行に伴う電動モータ１８の出力変動を抑制することができる。
【００６０】
前記第１及び第２変形例のように、出力変化を禁止ではなく、出力変化を抑制することでも本発明の効果、すなわち走行フィーリングの低下を防ぐという効果を得ることができる。各変形例の発明によれば、コーナーリング中でも出力変化を緩和しつつ、出力変化を実行することで、コーナーリング中でも出力変化による効果を得ることができる。たとえば非コーナーリング時に比べれば変化幅又は時間変化が小さいかもしれないが、電気機器の保護効果、回生効果などを得ることができる。
【００６１】
また、図１２及び１３の一点鎖線Ｂに示すように、モード移行制御部５０は、コーナリング中の車両運転状態（バンク角、モータ回転数、車速、ギヤ比、コーナー曲率の少なくとも１つ）に応じて電動モータ１８の出力変化の抑制の程度を変化させてもよい。例えば、走行動力の変動の運転者への影響が小さい車両運転状態のときには、電動モータ１８の出力変化の抑制の程度を小さくし（図１２及び１３の実線Ａ）、走行動力の変動の運転者への影響が大きい車両運転状態のときには、走行動力の変動の運転者への影響が小さい車両運転状態のときに比べて、電動モータ１８の出力変化の抑制の程度を大きくする（図１２及び１３の一点鎖線Ｂ）。換言すれば、車両運転状態が走行動力の変動の運転者への影響が大きい状態になるにつれて、モード移行条件が成立して且つコーナリング中ではないと判定されたときに比べて、電動モータ１８の出力の時間変化率を小さくするようにしてもよい。また例えば、走行動力の変動の運転者への影響が小さい車両運転状態のときには、電動モータ１８の出力変化を抑制せず、走行動力の変動の運転者への影響が大きい車両運転状態のときには、電動モータ１８の出力変化を抑制するようにしてもよい。具体的には、バンク角センサ４１で検出されるバンク角が所定の第１バンク角未満であるとき、回転数センサ３５で検出されるモータ回転数が所定の第１回転数以上であるとき、車速センサ３６で検出される車速が所定の第１車速以上であるとき、ギヤ位置センサ４０で検出されるギヤ位置の減速比が所定値未満であるとき、及び／又は、コーナー曲率が所定値未満であるときなどに、走行動力の変動の運転者への影響が小さい車両運転状態であると判定すればよい。そうすれば、モータ出力変化の抑制の程度を小さくしたときにはレーンチェンジなどを迅速に行うことができ、モード移行による制御効果とコーナリング中の運転フィーリングの向上とを好適に両立することができる。
【００６２】
なお、本実施形態では、コーナリング判定部４９はバンク角センサ４１からの情報に基づいてコーナリング中か否かを判定したが、他の方法で行ってもよい。例えば、ステアリング角センサで検出される操舵角が所定値より大きくなったときにコーナリング中であると判定してもよいし、横加速度センサで検出される横加速度が所定値より大きくなったときにコーナリング中であると判定してもよいし、ジャイロセンサで検出される横方向の車体傾斜角が大きくなったときにコーナリング中であると判定してもよい。
【００６３】
また、前輪回転数と後輪回転数との差に基づいてコーナリング判定をしてもよい。詳しくは、前後輪の車輪幅や断面半径が異なる場合には、車体のコーナーリングに対応して、前後輪の速度差が変化する。したがって、前後輪の速度差に関連する値に基づいて、車体のコーナリングの有無を判定できる。たとえば、後輪に比べて前輪の回転速度が所定値以上大きい場合に、コーナーリング状態として判断してもよい。
【００６４】
また、本実施形態では、コーナリング状態として直立状態からの車両の傾斜角が所定角以上である場合としたがこれに限らず、複数のコーナーリングを連続して行なうスラローム走行についてもコーナリング状態として判断してもよい。この場合、コーナリング状態がスラローム走行の場合には、スラローム走行状態が終了する状態がコーナリングの終了であるとしてもよい。たとえば、前記傾斜角が所定値未満となってから所定時間、たとえば１秒が経過すればコーナリング終了として判断してもよい。これによってスラローム走行中に一時的に直立状態となっただけであるときに、コーナリング終了として誤判定する可能性を防ぐことができる。そのほか傾斜角が所定値未満に近づく場合の傾斜角の時間変化が短い場合などにはスラローム走行であると判断してもよい。またその他の方法にてスラローム走行判定を行なってもよい。当然にスラローム走行を含まない場合も本発明に含まれる。
【００６５】
また本実施形態については、出力減少側および出力増大側のいずれについても、コーナーリング中の変化を抑制するとしたが、これに限定されず、出力減少側と出力増大側とのいずれか一方についてだけ抑制する場合も本発明に含められる。また本実施形態では、コーナリング中における、出力制限モード、回生モード、出力急増モードの３つの出力変化モードに関する出力変化を制限するようにしたが、すべて有する必要はなく、少なくともいずれか１つを制限する場合も本発明に含まれる。また本実施例では、制御開始から、出力制限モード、回生モード、出力急増モードの順で動作が行なわれたが、それら３つのモードの順序が異なっている場合も本発明に含まれる。また本実施形態で記載した運転モード移行例は一例であり、運転者から与えられる指令とは異なる情報に基づいて、運転モードを異ならせるものであれば、本発明を適用可能であって、本実施形態以外の運転モードへの移行例も含まれる。たとえば、走行状態に応じた回生力調整、トルク・回転数・走行速度の制限に起因する運転モード移行も含まれる。
【００６６】
また、前述した図５ではコーナリング中であると判定された状態で出力制限モード移行条件が成立したときにモード移行を禁止しているが、出力制限モード移行条件が成立して出力制限モードに移行している過渡期の状態でコーナリング中である（コーナリングが開始した）との判定がされたときも、その時点でモード移行を一時停止してモード移行に伴う出力変化を抑制し、コーナリングが終了してから移行を完了させてもよい。また、乗物の走行駆動源は、電動モータ１８に限らず、エンジンなどの駆動源でもよい。また、乗物は二輪車に限らず、四輪車、小型滑走艇などの乗物に適用可能であるが、コーナリング時に車体を傾斜させる乗物に好適に用いられる。また、本実施形態では、コーナリング中に出力抑制するとしたが、走行フィーリングを重視する第１状態と、電気機器の保護を重視する第２状態とで、コーナーリング中の出力抑制の有無を切換えてもよい。すなわち第１状態ではコーナーリング中の出力抑制を行わず、第２状態ではコーナーリング中の出力抑制をイ行うようにしてもよい。
【００６７】
また本実施形態では、コーナリング中であることによりモード移行を禁止している状態からコーナリングが終了すると、モータ出力を移行後のモードの目標値に徐々に近づけたが一気に近づけてもよい。また、出力抑制の解除は運転者の意思で出来るようにしてもよい。たとえば出力抑制解除を指示するためのスイッチが設けられ、運転者の操作によってスイッチから与えられる信号によって出力抑制を解除してもよい。これによって利便性を向上することができる。また抑制変化の設定、抑制モードに入るしきい値などが変化可能に構成されてもよい。
【００６８】
また、コーナリング終盤を判定する方法としては、コーナーリング判定後に、傾斜角（操舵角）が小さくなった場合、傾斜角（操舵角）変化が小さくなった場合、傾斜角（操舵角）変化が反転した場合、ギアチェンジされた場合、クラッチ操作された場合、アクセル操作増加された場合などに、コーナリング終盤であると判定するようにしてもよい。また、制御対象であるモータ出力として、トルクを用いる代わりにモータ回転速度を用いてもよい。また、本発明は前述した実施形態に限定されるものではなく、本発明の趣旨を逸脱しない範囲でその構成を変更、追加、又は削除することができる。
【産業上の利用可能性】
【００６９】
以上のように、本発明に係る電動二輪車、乗物制御装置及び乗物制御方法は、運転指令以外の状態値に応じて運転モードが移行する乗物において、コーナリング中の運転フィーリングを向上することが可能となる優れた効果を有し、この効果の意義を発揮できる電動二輪車等の乗物に広く適用すると有益である。
【符号の説明】
【００７０】
１  電動二輪車（乗物）
１８  電動モータ
２１  バッテリ
２２  インバータ
２３  ＥＣＵ（制御手段、乗物制御装置）
３０  温度センサ（状態値検出手段）
３１  インバータ温度センサ（状態値検出手段）
３２  バッテリ温度センサ（状態値検出手段）
３３  バッテリ電圧センサ（状態値検出手段）
３４  バッテリ残量センサ（状態値検出手段）
３５  回転数センサ（状態値検出手段）
３６  車速センサ（状態値検出手段）
３７  アクセル操作量センサ（運転指令検出手段）
３８  ブレーキセンサ（運転指令検出手段）
３９  クラッチスイッチ（運転指令検出手段）
４０  ギヤ位置センサ（運転指令検出手段）
４１  バンク角センサ
４５  センサ異常検知部（状態値検出手段）
４８  運転指令受信部
４６  状態値受信部
４９  コーナリング判定部
５０  モード移行制御部
５１  通常モード実行部
５２  出力制限モード実行部（非通常モード実行部）
５３  回生モード実行部（非通常モード実行部）
５４  出力急増モード実行部（非通常モード実行部）
５５  通知装置
【図１】
2012157013.tif 000003
【図２】
2012157013.tif 000004
【図３】
2012157013.tif 000005
【図４】
2012157013.tif 000006
【図５】
2012157013.tif 000007
【図６】
2012157013.tif 000008
【図７】
2012157013.tif 000009
【図８】
2012157013.tif 000010
【図９】
2012157013.tif 000011
【図１０】
2012157013.tif 000012
【図１１】
2012157013.tif 000013
【図１２】
2012157013.tif 000014
【図１３】
2012157013.tif 000015
【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
運転者からの運転指令を検出する運転指令検出手段と、
前記運転指令とは異なる状態値を検出可能な状態値検出手段と、
駆動輪に伝達される走行動力を発生する電動モータと、
前記運転指令検出手段で検出された前記運転指令に応じて前記電動モータの出力を制御する通常モードと、前記電動モータの出力を前記通常モードに対して異ならせる非通常モードとを実行可能であり、前記通常モード及び前記非通常モードのうち一方のモードにおいて前記状態値検出手段で検出される前記状態値に所定の移行条件が成立すると、前記通常モード及び前記非通常モードのうち他方のモードへと移行させる制御手段と、
電動二輪車がコーナリング中であるか否かを判定するコーナリング判定手段と、を備え、
前記通常モードと前記非通常モードとの両方で前記電動モータの出力が走行動力とされ、
前記制御手段は、前記コーナリング判定手段で電動二輪車がコーナリング中であると判定され且つ前記移行条件が成立したときには、前記コーナリング判定手段で電動二輪車がコーナリング中ではないと判定され且つ前記移行条件が成立したときよりも、前記電動モータの出力変化を抑制する、電動二輪車。
【請求項２】
前記制御手段は、前記コーナリング判定手段で電動二輪車がコーナリング中であると判定され且つ前記移行条件が成立したときには、前記通常モード及び前記非通常モードのうち一方のモードから他方のモードへの移行を禁止する、請求項１に記載の電動二輪車。
【請求項３】
前記制御手段は、前記コーナリング判定手段で電動二輪車がコーナリング中であると判定され且つ前記移行条件が成立したときには、前記コーナリング判定手段で電動二輪車がコーナリング中ではないと判定され且つ前記移行条件が成立したときよりも、前記通常モード及び前記非通常モードのうち一方のモードから他方のモードへ移行する際における前記電動モータの出力の変化量及び時間変化率の少なくとも一方を低減する、請求項１に記載の電動二輪車。
【請求項４】
前記電動モータに電力を供給するためのバッテリと、前記電動モータと前記バッテリとの間に介設されたインバータとを備え、
前記状態値検出手段は、前記電動モータ、前記バッテリ及び前記インバータを含む駆動系電気機器のうち少なくとも１つの状態を前記状態値として検出し、
前記移行条件は、前記通常モードから前記非通常モードに移行させるための条件であって前記状態値が所定の非通常値であるとの非通常モード移行条件と、前記非通常モードから前記通常モードに移行させるための条件であって前記状態値が所定の通常値であるとの通常モード移行条件とを有し、
前記制御手段は、前記非通常モードにおける前記電動モータの出力を、前記通常モードにおける前記電動モータの出力よりも減少させる、請求項１乃至３のいずれかに記載の電動二輪車。
【請求項５】
前記電動モータに電力を供給するためのバッテリと、前記バッテリと前記電動モータとの間に介設されたインバータと、を備え、
前記状態値検出手段は、前記バッテリ、前記インバータ及び前記電動モータのうち少なくとも１つの温度を前記状態値として検出する温度センサ、前記バッテリの放電能力を前記状態値として検出するバッテリセンサ、前記電動モータの回転数を前記状態値として検出する回転数センサ、走行速度を前記状態値として検出する車速センサ、及び、前記電動モータの制御のための入力情報を検出するセンサの異常を前記状態値として検知する異常検知手段のうち少なくとも１つを含み、
前記移行条件は、前記温度センサで検出される温度が所定の許容値を超えているとの条件、前記バッテリセンサで検出される放電能力が所定の許容値を下回っているとの条件、前記回転数センサで検出される回転数が所定の上限回転数以上であるとの条件、前記車速センサで検出される車速が所定の上限速度以上であるとの条件、及び、前記異常検知手段で異常が検知されたとの条件のうち少なくとも１つである出力制限モード移行条件を有し、
前記非通常モードは、前記通常モードよりも前記電動モータの出力を減少させる出力制限モードを有し、
前記制御手段は、前記通常モードにおいて前記出力制限モード移行条件が成立すると、前記出力制限モードに移行させる、請求項１乃至３のいずれかに記載の電動二輪車。
【請求項６】
前記制御手段は、前記コーナリング判定手段で電動二輪車がコーナリング中であると判定され且つ前記移行条件が成立することで前記電動モータの出力変化を抑制された状態から、前記移行条件が成立したまま前記コーナリング判定手段によりコーナリングが終了したことが判定されると、前記電動モータの出力の目標値をモード移行後の目標値に徐々に近づけるように制御する、請求項１乃至５のいずれかに記載の電動二輪車。
【請求項７】
前記移行条件は、所定の出力急増モード移行条件を有し、
前記非通常モードは、前記運転指令検出手段で検出されたアクセル操作量の増加率が所定の閾値以上であるときに、前記通常モードよりも前記電動モータの出力を一時的に増加させる出力急増モードを有し、
前記制御手段は、前記通常モードにおいて前記出力急増モード移行条件が成立すると、前記出力急増モードに移行させる、請求項１乃至６のいずれかに記載の電動二輪車。
【請求項８】
走行状態がコーナリングの終盤であるか否かを判定するコーナリング状態判定手段を備え、
前記制御手段は、前記コーナリング状態判定手段により走行状態がコーナリングの終盤であると判定された場合には、前記コーナリング判定手段で電動二輪車がコーナリング中であると判定され且つ前記出力急増モード移行条件が成立しても、前記電動モータの出力変化の抑制を実施しない、請求項７に記載の電動二輪車。
【請求項９】
運転者に通知するための通知手段を備え、
前記制御手段は、前記コーナリング判定手段で電動二輪車がコーナリング中であると判定されかつ前記移行条件が成立したときには、前記電動モータの出力変化を抑制している旨を前記通知手段により運転者に通知させる、請求項１乃至８のいずれかに記載の電動二輪車。
【請求項１０】
前記制御手段は、コーナリング中の車両運転状態に応じて前記電動モータの出力変化の抑制の程度を変化させる、請求項１乃至９のいずれかに記載の電動二輪車。
【請求項１１】
運転者からの運転指令を受信する運転指令受信部と、
前記運転指令とは異なる状態値を受信可能な状態値受信部と、
前記運転指令に応じて電動モータの出力を制御する通常モード実行部と、
前記電動モータの出力を前記通常モードに対して異ならせる非通常モード実行部と、
前記通常モード及び前記非通常モードのうち一方のモードにおいて前記状態値受信部で受信される前記状態値に所定の移行条件が成立すると、前記通常モード及び前記非通常モードのうち他方のモードへと移行させるモード移行制御部と、
乗物がコーナリング中であるか否かを判定するコーナリング判定部と、を備え、
前記通常モードと前記非通常モードとの両方で前記電動モータの出力が走行動力とされ、
前記モード移行制御部は、前記コーナリング判定部で乗物がコーナリング中であると判定され且つ前記移行条件が成立したときには、前記コーナリング判定部で乗物がコーナリング中ではないと判定され且つ前記移行条件が成立したときよりも、前記電動モータの出力変化を抑制する、乗物制御装置。
【請求項１２】
運転者からの運転指令を受信する運転指令受信工程と、
前記運転指令とは異なる状態値を受信可能な状態値受信工程と、
前記運転指令に応じて電動モータの出力を制御する通常モード実行工程と、
前記電動モータの出力を前記通常モードに対して異ならせる非通常モード実行工程と、
前記通常モード及び前記非通常モードのうち一方のモードにおいて前記状態値に所定の移行条件が成立すると、前記通常モード及び前記非通常モードのうち他方のモードへと移行させるモード移行制御工程と、
乗物がコーナリング中であるか否かを判定するコーナリング判定工程と、を備え、
前記通常モードと前記非通常モードとの両方で前記電動モータの出力を走行動力とし、
前記モード移行制御工程では、前記コーナリング判定部で乗物がコーナリング中であると判定され且つ前記移行条件が成立したときには、前記コーナリング判定部で乗物がコーナリング中ではないと判定され且つ前記移行条件が成立したときよりも、前記電動モータの出力変化を抑制する、乗物制御方法。
【手続補正２】
【補正対象書類名】明細書
【補正対象項目名】０００６
【補正方法】変更
【補正の内容】
【０００６】
本発明は前記事情に鑑みてなされたものであり、本発明に係る電動二輪車は、運転者からの運転指令を検出する運転指令検出手段と、前記運転指令とは異なる状態値を検出可能な状態値検出手段と、駆動輪に伝達される走行動力を発生する電動モータと、前記運転指令検出手段で検出された前記運転指令に応じて前記電動モータの出力を制御する通常モードと、前記電動モータの出力を前記通常モードに対して異ならせる非通常モードとを実行可能であり、前記通常モード及び前記非通常モードのうち一方のモードにおいて前記状態値検出手段で検出される前記状態値に所定の移行条件が成立すると、前記通常モード及び前記非通常モードのうち他方のモードへと移行させる制御手段と、電動二輪車がコーナリング中であるか否かを判定するコーナリング判定手段と、を備え、前記通常モードと前記非通常モードとの両方で前記電動モータの出力が走行動力とされ、前記制御手段は、前記コーナリング判定手段で電動二輪車がコーナリング中であると判定され且つ前記移行条件が成立したときには、前記コーナリング判定手段で電動二輪車がコーナリング中ではないと判定され且つ前記移行条件が成立したときよりも、前記電動モータの出力変化を抑制する。
【手続補正３】
【補正対象書類名】明細書
【補正対象項目名】００２６
【補正方法】変更
【補正の内容】
【００２６】
また本発明に係る乗物制御装置は、運転者からの運転指令を受信する運転指令受信部と、前記運転指令とは異なる状態値を受信可能な状態値受信部と、前記運転指令に応じて電動モータの出力を制御する通常モード実行部と、前記電動モータの出力を前記通常モードに対して異ならせる非通常モード実行部と、前記通常モード及び前記非通常モードのうち一方のモードにおいて前記状態値受信部で受信される前記状態値に所定の移行条件が成立すると、前記通常モード及び前記非通常モードのうち他方のモードへと移行させるモード移行制御部と、乗物がコーナリング中であるか否かを判定するコーナリング判定部と、を備え、前記通常モードと前記非通常モードとの両方で前記電動モータの出力が走行動力とされ、前記モード移行制御部は、前記コーナリング判定部で乗物がコーナリング中であると判定され且つ前記移行条件が成立したときには、前記コーナリング判定部で乗物がコーナリング中ではないと判定され且つ前記移行条件が成立したときよりも、前記電動モータの出力変化を抑制する。
【手続補正４】
【補正対象書類名】明細書
【補正対象項目名】００２７
【補正方法】変更
【補正の内容】
【００２７】
また本発明に係る乗物制御方法は、運転者からの運転指令を受信する運転指令受信工程と、前記運転指令とは異なる状態値を受信可能な状態値受信工程と、前記運転指令に応じて電動モータの出力を制御する通常モード実行工程と、前記電動モータの出力を前記通常モードに対して異ならせる非通常モード実行工程と、前記通常モード及び前記非通常モードのうち一方のモードにおいて前記状態値に所定の移行条件が成立すると、前記通常モード及び前記非通常モードのうち他方のモードへと移行させるモード移行制御工程と、乗物がコーナリング中であるか否かを判定するコーナリング判定工程と、を備え、前記通常モードと前記非通常モードとの両方で前記電動モータの出力を走行動力とし、前記モード移行制御工程では、前記コーナリング判定部で乗物がコーナリング中であると判定され且つ前記移行条件が成立したときには、前記コーナリング判定部で乗物がコーナリング中ではないと判定され且つ前記移行条件が成立したときよりも、前記電動モータの出力変化を抑制する。
【国際調査報告】
2012157013.tif 000016
2012157013.tif 000017
2012157013.tif 000018
2012157013.tif 000019